(57)【要約】【課題】液晶表示装置等の電気光学装置において、高品質なカラー画像を表示する。【解決手段】電気光学装置は、基板（１０）に、赤色、緑色及び青色の各色に夫々対応する３個のサブ画素（７０Ｒ，７０Ｇ，７０Ｂ）と、３個のサンプリングスイッチ（７１Ｒ，７１Ｇ，７１Ｂ）と、３個のサブ画素及び３個のサンプリングスイッチを夫々互いに電気的に接続する３本のデータ線（６Ｒ，６Ｇ，６Ｂ）と、３個のサンプリングスイッチに夫々対応する３本の画像信号線（５００）と、３個のサンプリングスイッチ及び３本の画像信号線を夫々互いに電気的に接続する３本の引き出し配線（７２Ｒ，７２Ｇ，７２Ｂ）とを備え、３個のサンプリングスイッチのうち緑色に対応するサンプリングスイッチは、他の２個のサンプリングスイッチと比べて、３本の画像信号線の近くに配置されている。【選択図】図４
2014170243.tif 000002
【特許請求の範囲】
【請求項１】
基板に、
単位画素を構成する赤色、緑色及び青色の各色に夫々対応する３個のサブ画素と、
前記３個のサブ画素に夫々対応する３個のサンプリングスイッチと、
前記３個のサブ画素及び前記３個のサンプリングスイッチを夫々互いに電気的に接続する３本のデータ線と、
前記３個のサンプリングスイッチに対して前記３個のサブ画素と反対側に設けられており、前記３個のサンプリングスイッチに夫々対応する３本の画像信号線と、
前記３個のサンプリングスイッチ及び前記３本の画像信号線を夫々互いに電気的に接続する３本の引き出し配線と
を備え、
前記３個のサンプリングスイッチのうち前記緑色に対応するサンプリングスイッチは、他の２個のサンプリングスイッチと比べて、前記３本の画像信号線の近くに配置されている
ことを特徴とする電気光学装置。
【請求項２】
前記３個のサンプリングスイッチのうち前記青色に対応するサンプリングスイッチは、前記赤色に対応するサンプリングスイッチと比べて、前記画像信号線の遠くに配置されていることを特徴とする請求項１に記載の電気光学装置。
【請求項３】
前記３個のサンプリングスイッチは夫々複数設けられており、前記３本のデータ線が沿う一の方向に交わる他の方向に夫々配列されると共に、前記一の方向に互いにずれて配置されることを特徴とする請求項１又は２に記載の電気光学装置。
【請求項４】
前記３本の画像信号線の各々には、前記３本の引き出し配線のうち対応する引き出し配線が、複数電気的に接続されていることを特徴とする請求項１から３のいずれか一項に記載の電気光学装置。
【請求項５】
前記基板の一辺に沿って設けられた複数の外部回路接続端子を備え、
前記３本の画像信号線は、前記３本の引き出し配線と接続されない側において、前記複数の外部回路接続端子と夫々電気的に接続されている
ことを特徴とする請求項１から４のいずれか一項に記載の電気光学装置。
【請求項６】
前記複数の外部回路接続端子及び前記３個のサンプリングスイッチを互いに直線的に結ぶ位置に重なるように設けられた周辺駆動回路を備え、
前記３本の画像信号線は、前記周辺駆動回路を迂回するように設けられている
ことを特徴とする請求項５に記載の電気光学装置。
【請求項７】
請求項１から６のいずれか一項に記載の電気光学装置を備えることを特徴とする電子機器。
【発明の詳細な説明】
【技術分野】
【０００１】
本発明は、例えば液晶表示装置等の電気光学装置、及び該電気光学装置を備えた、例えば液晶プロジェクター等の電子機器の技術分野に関する。
【背景技術】
【０００２】
この種の電気光学装置として、例えば外部回路から画像信号線へ供給される画像信号に基づいて駆動される液晶装置がある。画像信号は、基板上の画素領域に配線された複数のデータ線に、画像信号線からサンプリング回路を介して供給される。サンプリング回路は、画素領域に周辺に位置する周辺領域に設けられており、薄膜トランジスタ（ＴＦＴ：Thin Film Transistor）等により構成されたサンプリングスイッチを備えている。例えば特許文献１では、隣接するサンプリングスイッチを互いに該サンプリングスイッチの長手方向に対して所定間隔を持って配置することにより、サンプリングスイッチ近傍における画像信号線とデータ線間の寄生容量を減少させる技術が提案されている。
【０００３】
一方、この種の電気光学装置の一例として、Ｒ（赤）、Ｇ（緑）及びＢ（青）のサブ画素を有するカラー表示型の液晶装置がある。このようなカラー表示型の液晶装置では、１つの単位画素を３つのサブ画素に分けて、各サブ画素に対応する位置に、Ｒ、Ｇ及びＢの３色のカラーフィルターが配置され、このＲ、Ｇ及びＢの３色に対応する３つのサブ画素によって１つの単位画素を表示することで、カラー表示が可能となる。
【０００４】
上述したカラー表示型の液晶装置では、Ｒ、Ｇ及びＢのサブ画素の各々に対応して配線されるデータ線毎にサンプリングスイッチが設けられるので、基板上の周辺領域においてデータ線の配列方向に沿ってサンプリングスイッチを一列に配列することが困難になってしまう。この解決策として、上述した特許文献１の如く、複数のサンプリングスイッチは、データ線の配列方向に夫々配列されると共にデータ線が延びる方向に沿って互いにずれた複数列をなすように配置されることがある。
【先行技術文献】
【特許文献】
【０００５】
【特許文献１】特開２００２−４９３３１号公報
【発明の概要】
【発明が解決しようとする課題】
【０００６】
ここで、上述したようなサンプリングスイッチを介してデータ線に画像信号が供給される場合、サンプリングスイッチまでの画像信号の伝達は、接続端子とサンプリングスイッチの間にレイアウトされた画像信号線と引き出し配線を介して行なわれ、サンプリングスイッチへ画像信号が供給される。このとき、接続端子からサンプリングスイッチまでの配線に関して存在する配線容量や他の配線との容量カップリングに起因する信号波形のなまりや電位変動によって、画像信号への悪影響が起こりやすい。特にカラー表示においてはこれらの悪影響が色によって異なり、Ｇ（緑）が最も目立ちやすく表示ムラの原因となる。これにより、画素領域における表示異常が生じてしまうおそれがあるという技術的問題点がある。
【０００７】
本発明は、例えば上述した問題点に鑑みなされたものであり、サンプリングスイッチまでの配線に生じ得る電位変動等による表示への悪影響が視認されにくく、高品質なカラー画像を表示可能な電気光学装置及び該電気光学装置を備えた電子機器を提供することを課題とする。
【課題を解決するための手段】
【０００８】
本発明の電気光学装置は上記課題を解決するために、基板に、単位画素を構成する赤色、緑色及び青色の各色に夫々対応する３個のサブ画素と、前記３個のサブ画素に夫々対応する３個のサンプリングスイッチと、前記３個のサブ画素及び前記３個のサンプリングスイッチを夫々互いに電気的に接続する３本のデータ線と、前記３個のサンプリングスイッチに対して前記３個のサブ画素と反対側に設けられており、前記３個のサンプリングスイッチに夫々対応する３本の画像信号線と、前記３個のサンプリングスイッチ及び前記３本の画像信号線を夫々互いに電気的に接続する３本の引き出し配線とを備え、前記３個のサンプリングスイッチのうち前記緑色に対応するサンプリングスイッチは、他の２個のサンプリングスイッチと比べて、前記３本の画像信号線の近くに配置されている。
【０００９】
本発明の電気光学装置によれば、基板に、単位画素を構成する赤色、緑色及び青色の各色に夫々対応する３個のサブ画素が備えられている。３個のサブ画素は、３本のデータ線を介して３個のサンプリングスイッチと夫々電気的に接続されている。３個のサンプリングスイッチの他端（即ち、データ線が接続される側と反対側）は、３本の引き出し配線を介して３本の画像信号線と夫々電気的に接続されている。尚、本発明の電気光学装置には、典型的には、上述した３個のサブ画素、３本のデータ線、３個のサンプリングスイッチ、３本の引き出し配線及び３本の画像信号線がそれぞれ複数設けられている。
【００１０】
本発明の電気光学装置の動作時には、例えばデータ線駆動回路からサンプリング信号がサンプリング信号線を介して３個のサンプリングスイッチの各々のゲートに供給される。画像信号線に供給される画像信号は、３個のサンプリングスイッチにおいてサンプリング信号に応じて夫々サンプリングされて、３本のデータ線に対して供給される。他方で、例えば走査線駆動回路から走査信号が走査線に対して順次に供給される。これらにより、例えば画素スイッチング素子、画素電極、蓄積容量等を備えたサブ画素では、例えば液晶駆動等の電気光学動作がサブ画素単位で行われる。この結果、画素領域におけるカラー表示が可能となる。
【００１１】
本発明では特に、３個のサンプリングスイッチのうち緑色に対応するサンプリングスイッチは、他の２個のサンプリングスイッチ（即ち、赤色及び青色に対応するサンプリングスイッチ）と比べて、３本の画像信号線の近くに配置されている。尚、緑色に対応するサンプリングスイッチは、３本の画像信号線のすべてに対して近くなるように配置される必要はなく、３本の画像信号線のうち緑色に対応する信号線に対して近くなるように配置されればよい。具体的には、緑色に対応するサンプリングスイッチと緑色に対応する画像信号線との距離が、赤色に対応するサンプリングスイッチと赤色に対応する画像信号線との距離、及び青色に対応するサンプリングスイッチと青色に対応する画像信号線との距離よりも短くなればよい。
【００１２】
上述した構成によれば、緑色に対応するサンプリングスイッチに接続される引き出し配線の長さを、赤色及び青色に対応するサンプリングスイッチに接続される引き出し配線の長さよりも短くすることができる。従って、緑色に対応する配線を、配線容量による信号波形のなまりや、他の配線との容量カップリングに起因する電位変動が最も生じ難い配線とすることができる。
【００１３】
ここで特に、人間の視感度（或いは視感効率）は、赤色及び青色に比べて緑色が高い。よって、緑色に対応する引き出し配線の電位変動を生じ難くすることで、電位変動が表示画像に及ぼす悪影響を効率的に低減させることができる。具体的には、画像信号に生じる“なまり”を低減できる。尚、赤色及び青色の各々に対応する引き出し配線における電位変動が生じたとしても、赤色及び青色は緑色に比べて人間の視感度が低いので、表示画像への悪影響は殆ど或いは実践上全くない。この結果、高品質なカラー画像を表示することが可能となる。
【００１４】
以上説明したように、本発明の電気光学装置によれば、画像信号線や引き出し配線に生じ得る電位変動による表示への悪影響が視認されにくく、高品質なカラー画像を表示可能である。
【００１５】
本発明の電気光学装置の一態様では、前記３個のサンプリングスイッチのうち前記青色に対応するサンプリングスイッチは、前記赤色に対応するサンプリングスイッチと比べて、前記画像信号線の遠くに配置されている。
【００１６】
この態様によれば、赤色に対応する引き出し配線における電位変動を、青色に対応する引き出し配線における電位変動よりも小さくすることができる。ここで、青色は赤色に比べて人間の視感度が低いので、仮に赤色に対応するサンプリングスイッチが、青色に対応するサンプリングスイッチよりも各画像信号線から遠い側に配置された場合と比較して、引き出し配線に生じ得る電位変動による表示画像への悪影響を視認され難くすることができる。
【００１７】
本発明の電気光学装置の他の態様では、前記３個のサンプリングスイッチは夫々複数設けられており、前記３本のデータ線が沿う一の方向に交わる他の方向に夫々配列されると共に、前記一の方向に互いにずれて配置される。
【００１８】
この態様によれば、赤色に対応するサンプリングスイッチ、緑色に対応するサンプリングスイッチ及び青色に対応するサンプリングスイッチは、それぞれ他の方向に沿う１列をなすように配列され、各列が一の方向に並んだ３列として配列される。よって、赤色に対応するサンプリングスイッチ、緑色に対応するサンプリングスイッチ及び青色に対応するサンプリングスイッチを、サブ画素よりも大きなサイズを有するＴＦＴ等により夫々構成しつつ、画素が配列される画素領域の周辺に位置する周辺領域に容易に配置することができる。
【００１９】
本発明の電気光学装置の他の態様では、前記３本の画像信号線の各々には、前記３本の引き出し配線のうち対応する引き出し配線が、複数電気的に接続されている。
【００２０】
この態様によれば、３本の画像信号線の各々に、引き出し配線が複数電気的に接続されており、３本の画像信号線の各々からは、接続された複数の引き出し配線に対して、時系列で画像信号が順次供給される。このため、３本の画像信号線の数を、３本の引き出し配線の数（言い換えれば、３個のサンプリングスイッチの数、３本のデータ線の数、３個のサブ画素の数）よりも極めて少なくすることができる。
【００２１】
上述した構成の場合、１本の画像信号線に複数の引き出し配線が接続されているため、引き出し配線における容量カップリングに起因する電位変動の影響は極めて大きなものとなる。従って、引き出し配線の電位変動を生じ難くすることで、電位変動が表示画像に及ぼす悪影響を効率的に低減させることができる。
【００２２】
本発明の電気光学装置の他の態様では、前記基板の一辺に沿って設けられた複数の外部回路接続端子を備え、前記３本の画像信号線は、前記３本の引き出し配線と接続されない側において、前記複数の外部回路接続端子と夫々電気的に接続されている。
【００２３】
この態様によれば、基板の一辺に沿って、基板外部の回路と電気的な導通を行うための複数の外部回路接続端子が設けられている。複数の外部回路接続端子には、例えばコネクタ等を介して接続配線が電気的に接続されることで、外部の回路との電気的な導通が実現される。
【００２４】
本態様では、複数の外部回路接続端子は、３本の画像信号線と電気的に接続されている。よって、外部回路接続端子から入力された画像信号を、３本の画像信号線を介して、確実に３本の引き出し配線へと供給することができる。
【００２５】
上述した外部回路接続端子を備える態様では、前記複数の外部回路接続端子及び前記３個のサンプリングスイッチを互いに直線的に結ぶ位置に重なるように設けられた周辺駆動回路を備え、前記３本の画像信号線は、前記周辺駆動回路を迂回するように設けられていてもよい。
【００２６】
この場合、複数の外部回路接続端子及び３個のサンプリングスイッチを互いに直線的に結ぶ位置には、例えばデータ線駆動回路等の周辺駆動回路が設けられている。即ち、複数の外部回路接続端子及びサンプリングスイッチ間に周辺駆動回路が存在するように、夫々の部材が配置される。
【００２７】
本態様では特に、３本の画像信号線は、周辺駆動回路を迂回するように設けられる。即ち、周辺駆動回路と重ならないように、複数の外部回路接続端子と３本の引き出し配線とを電気的に接続している。このため、３本の画像信号線の長さは、周辺駆動回路を迂回する分長くなる。よって、３本の画像信号線において生ずる容量カップリングに起因する電位変動は大きくなる。
【００２８】
しかしながら本態様では、引き出し配線の電位変動を生じ難くすることで、電位変動が表示画像に及ぼす悪影響を効率的に低減させることができる。従って、高品質なカラー画像を表示可能である。
【００２９】
本発明の電子機器は上記課題を解決するために、上述した本発明の電気光学装置（但し、その各種態様も含む）を備える。
【００３０】
本発明の電子機器によれば、上述した本発明に係る電気光学装置を具備してなるので、高品質なカラー表示を行うことが可能な、投射型表示装置、テレビ、携帯電話、電子手帳、ワードプロセッサー、ビューファインダー型又はモニタ直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００３１】
本発明の作用及び他の利得は次に説明する発明を実施するための形態から明らかにされる。
【図面の簡単な説明】
【００３２】
【図１】実施形態に係る液晶装置の構成を示す平面図である。
【図２】図１のＨ−Ｈ’線断面図である。
【図３】実施形態に係る液晶装置の電気的な構成を示すブロック図である。
【図４】実施形態に係る液晶装置のサンプリング回路周辺の構成を示す拡大平面図（その１）である。
【図５】実施形態に係る液晶装置のサンプリングトランジスタの具体的な配線レイアウトを示す拡大平面である。
【図６】実施形態に係る液晶装置のサンプリング回路周辺の構成を示す拡大平面図（その２）図である。
【図７】電気光学装置を適用した電子機器の一例たるプロジェクターの構成を示す平面図である。
【図８】電気光学装置を適用した電子機器の一例たる携帯電話の構成を示す斜視図である。
【発明を実施するための形態】
【００３３】
以下では、本発明の実施形態について図を参照しつつ説明する。
【００３４】
＜電気光学装置＞
本実施形態に係る電気光学装置について図１から図６を参照して説明する。尚、以下の実施形態では、本発明の電気光学装置の一例として駆動回路内蔵型のＴＦＴアクティブマトリクス駆動方式の液晶装置を挙げて説明する。
【００３５】
先ず、本実施形態に係る液晶装置の全体構成について、図１及び図２を参照して説明する。ここに図１は、本実施形態に係る液晶装置の構成を示す平面図であり、図２は、図１のＨ−Ｈ’線断面図である。
【００３６】
図１及び図２において、本実施形態に係る液晶装置１００では、本発明の「基板」の一例であるＴＦＴアレイ基板１０及び対向基板２０が対向配置されている。ＴＦＴアレイ基板１０及び対向基板２０の間には液晶層５０が封入されており、ＴＦＴアレイ基板１０と対向基板２０とは、画像表示領域１０ａの周囲に位置するシール領域に設けられたシール材５２により相互に接着されている。
【００３７】
図１において、シール材５２が配置されたシール領域の内側に並行して、画像表示領域１０ａの額縁領域を規定する遮光性の額縁遮光膜５３が、対向基板２０側に設けられている。尚、本実施形態においては、画像表示領域１０ａの周辺を規定する周辺領域が存在する。言い換えれば、本実施形態では、ＴＦＴアレイ基板１０の中心から見て、額縁遮光膜５３より以遠が周辺領域として規定されている。
【００３８】
周辺領域のうち、シール材５２が配置されたシール領域の外側に位置する領域には、データ線駆動回路１０１及び外部回路接続続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。更に、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることが可能とされている。
【００３９】
図２において、ＴＦＴアレイ基板１０上には、画素スイッチング用のＴＦＴや走査線、データ線等の配線が作り込まれた積層構造が形成される。画像表示領域１０ａには、画素スイッチング用のＴＦＴや走査線、データ線等の配線の上層に画素電極９がマトリクス状に設けられている。画素電極９上には、配向膜が形成されている。他方、対向基板２０におけるＴＦＴアレイ基板１０との対向面上に、カラーフィルター２６が各画素電極９に対向するように所定の厚みで形成されている。本実施形態では、１つの単位画素は、３つのサブ画素から構成されており、該サブ画素毎に上述した画素電極９、画素スイッチング用のＴＦＴ、カラーフィルター２６等が設けられている。単位画素を構成する３つのサブ画素には、赤色（Ｒ）のカラーフィルター、緑色（Ｇ）のカラーフィルター及び青色（Ｂ）のカラーフィルターがそれぞれ設けられている。赤色のカラーフィルターは、赤色の光（即ち、例えば６２５〜７４０ｎｍの波長を有する光）のみを通過させるカラーフィルターであり、緑色のカラーフィルターは、緑色の光（即ち、例えば５００〜５６５ｎｍの波長を有する光）のみを通過させるカラーフィルターであり、青色のカラーフィルターは、青色の光（即ち、例えば４５０〜４８５ｎｍの波長を有する光）のみを通過させるカラーフィルターである。尚、カラーフィルター２６は、ＴＦＴアレイ基板１０側に設けられてもよい。
【００４０】
対向基板２０におけるＴＦＴアレイ基板１０との対向面上における互いに隣り合うカラーフィルター２６間には遮光膜２３が形成されている。遮光膜２３は、例えば遮光性金属膜等から形成されており、対向基板２０上の画像表示領域１０ａ内で、例えば格子状等にパターニングされている。そして、カラーフィルター２６及び遮光膜２３上に形成された保護膜（図示省略）上に、ＩＴＯ（Indium Tin Oxide）等の透明材料からなる対向電極２１が複数の画素電極９と対向してベタ状に形成されている。対向電極２１上には配向膜が形成されている。また、液晶層５０は、例えば一種又は数種類のネマティック液晶を混合した液晶からなり、これら一対の配向膜間で、所定の配向状態をとる。
【００４１】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４２】
次に、本実施形態に係る液晶装置の電気的な構成について、図３を参照して説明する。ここに図３は、本実施形態に係る液晶装置の電気的な構成を示すブロック図である。
【００４３】
図３に示すように、液晶装置１００は、そのＴＦＴアレイ基板１０の中央を占める画像表示領域１０ａに、縦横に配線されたデータ線６（即ち、データ線６Ｒ、６Ｇ及び６Ｂ）及び走査線１１を備え、それらの交点に対応してサブ画素７０が形成されている。各サブ画素７０は、液晶素子１１８の画素電極９、及び画素電極９をスイッチング制御するためのＴＦＴ３０、並びに蓄積容量１１９を備えている。尚、本実施形態では、走査線１１の総本数をｍ本（但し、ｍは２以上の自然数）とし、データ線６の総本数をｎ本（但し、ｎは２以上の自然数）として説明する。
【００４４】
本実施形態では、単位画素８０は、走査線１１が延びる方向（即ち、Ｘ方向）に互いに隣り合う３つのサブ画素７０（即ち、サブ画素７０Ｒ、７０Ｇ及び７０Ｂ）により構成されている。対向基板２０側に、サブ画素７０Ｒの画素電極９に対向するように赤色のカラーフィルター２６が設けられ、サブ画素７０Ｇの画素電極９に対向するように緑色のカラーフィルター２６が設けられ、サブ画素７０Ｂの画素電極９に対向するように青色のカラーフィルター２６が設けられている。これにより単位画素８０毎のカラー表示が可能となっている。尚、本実施形態では、赤色、緑色及び青色のカラーフィルター２６は、データ線６が延びる方向（即ち、Ｙ方向）に沿うストライプ状に設けられている。一のデータ線６には、赤色、緑色及び青色のいずれかの色のサブ画素７０が電気的に接続されている。即ち、データ線６Ｒには、赤色のサブ画素７０Ｒが電気的に接続され、データ線６Ｇには、緑色のサブ画素７０Ｇが電気的に接続され、データ線６Ｂには、青色のサブ画素７０Ｂが電気的に接続されている。
【００４５】
図３に示すように、液晶装置１００は、そのＴＦＴアレイ基板１０上の周辺領域に、走査線駆動回路１０４、データ線駆動回路１０１、サンプリング回路７、引き出し配線７２及び画像信号線５００を備えている。
【００４６】
走査線駆動回路１０４には、外部回路から外部回路接続端子１０２（図１参照）を介してＹクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００４７】
データ線駆動回路１０１には、外部回路から外部回路接続端子１０２（図１参照）を介してＸクロック信号ＣＬＸ、反転Ｘクロック信号ＣＬＸｉｎｖ及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００４８】
サンプリング回路７は、データ線６毎に設けられた複数のサンプリングトランジスタ７１を備えている。より詳細には、サンプリング回路７は、赤色のサブ画素７０Ｒに電気的に接続されたデータ線６Ｒ毎に設けられた複数のサンプリングトランジスタ７１Ｒと、緑色のサブ画素７０Ｇに電気的に接続されたデータ線６Ｇ毎に設けられた複数のサンプリングトランジスタ７１Ｇと、青色のサブ画素７０Ｂに電気的に接続されたデータ線６Ｂ毎に設けられた複数のサンプリングトランジスタ７１Ｂとを備えている。サンプリングトランジスタ７１Ｒ、７１Ｇ及び７１Ｂは、片チャネル型のＴＦＴから夫々構成されている。尚、サンプリングトランジスタ７１Ｒ、７１Ｇ及び７１Ｂは、は、本発明に係る「３個のサンプリングスイッチ」の一例である。サンプリングトランジスタ７１Ｒ、７１Ｇ及び７１ＢのＴＦＴアレイ基板１０上におけるレイアウトについては、後に詳細に説明する。
【００４９】
画像信号線５００は、本実施形態では６本設けられている。６本の画像信号線５００の各々には、赤色に対応する画像信号ＶＩＤＲ１及びＶＩＤＲ２、緑色に対応する画像信号ＶＩＤＧ１及びＶＩＤＧ２、並びに青色に対応する画像信号ＶＩＤＢ１及びＶＩＤＢ２が夫々供給される。
【００５０】
引き出し配線７２は、サンプリング回路７及び画像信号線５００を電気的に接続するための配線として設けられている。具体的には、赤色に対応する画像信号ＶＩＤＲ１及びＶＩＤＲ２を供給する画像信号線５００は、引き出し配線７２Ｒを介して、サンプリングトランジスタ７１Ｒに電気的に接続されている。緑色に対応する画像信号ＶＩＤＧ１及びＶＩＤＧ２を供給する画像信号線５００は、引き出し配線７２Ｇを介して、サンプリングトランジスタ７１Ｇに電気的に接続されている。青色に対応する画像信号ＶＩＤＢ１及びＶＩＤＢ２を供給する画像信号線５００は、引き出し配線７２Ｂを介して、サンプリングトランジスタ７１Ｂに電気的に接続されている。尚、引き出し配線７２は、一本の画像信号線５００に対して複数接続されている。
【００５１】
図３中、一つのサブ画素７０の構成に着目すれば、ＴＦＴ３０のソース電極には、画像信号が供給されるデータ線６が電気的に接続されている。一方、ＴＦＴ３０のゲート電極には、走査信号Ｙｊ（但し、ｊ＝１、２、３、・・・、ｍ）が供給される走査線１１が電気的に接続されると共に、ＴＦＴ３０のドレイン電極には、液晶素子１１８の画素電極９が電気的に接続されている。ここで、各サブ画素７０において、液晶素子１１８は、画素電極９と対向電極２１との間に液晶を挟持してなる。ここで、保持された画像信号がリークするのを防ぐために、蓄積容量１１９が、液晶素子１１８と並列に付加されている。
【００５２】
走査線駆動回路１０４から出力される走査信号Ｙ１、・・・、Ｙｍによって、各走査線１１は線順次に選択される。選択された走査線１１に対応するサブ画素７０において、ＴＦＴ３０に走査信号Ｙｊが供給されると、ＴＦＴ３０はオン状態となり、当該サブ画素７０は選択状態となる。液晶素子１１８の画素電極９には、ＴＦＴ３０を一定期間だけそのスイッチを閉じることにより、データ線６より画像信号が所定のタイミングで供給される。これにより、液晶素子１１８には、画素電極９及び対向電極２１の各々の電位によって規定される印加電圧が印加される。液晶は、印加される電圧レベルにより分子集合の配向や秩序が変化することにより、光を変調し、階調表示を可能とする。
【００５３】
次に、本実施形態に係る液晶装置のサンプリングトランジスタのレイアウトについて、図４から図６を参照して説明する。ここに図４及び図６は夫々、実施形態に係る液晶装置のサンプリング回路周辺の構成を示す拡大平面図であり、図５は、実施形態に係る液晶装置のサンプリングトランジスタの具体的な配線レイアウトを示す拡大平面図である。
【００５４】
図４に示すように、複数のサンプリング回路７（即ち、サンプリング回路７Ｒ、サンプリング回路７Ｇ及びサンプリング回路７Ｂ）は、単位画素８０がマトリクス状に配列された画像表示領域１０ａの周辺に位置する周辺領域に、対応するサブ画素７０の色別に、Ｘ方向に配列されると共にＹ方向に互いにずれて配置されている。具体的には、緑色に対応するサンプリング回路７ＧがＸ方向に配列され、該配列よりも画像信号線５００からＹ方向に沿って遠い側に、赤色に対応するサンプリング回路７ＲがＸ方向に沿って配列され、該配列よりも画像信号線５００からＹ方向に沿って遠い側に、青色に対応するサンプリング回路７ＢがＸ方向に沿って配列されている。
【００５５】
即ち、本実施形態では、複数のサンプリング回路７（言い換えれば、サンプリングトランジスタ７１）は、Ｘ方向に沿って１列として配列されるのではなく、対応するサブ画素７０の色別にＸ方向に沿った３列として配列されている。このため、サブ画素７０の配列ピッチが小さい場合でも、サンプリングトランジスタ７１のサイズを十分に確保しつつ複数のサンプリングトランジスタ７１を周辺領域に容易に配置することができる。
【００５６】
図５において、サンプリングトランジスタ７１Ｇに接続される引き出し配線７２Ｇ（言い換えれば、サンプリングトランジスタ７１Ｇのソース配線）は、サンプリングトランジスタ７１Ｇを構成する半導体層におけるソース領域にコンタクトホール１８２ｇを介して電気的に接続されている。引き出し配線７２Ｇは、サンプリングトランジスタ７１Ｇに接続される側と反対の他端側において、対応する画像信号線５００とコンタクトホール等を介して互いに電気的に接続されている（図３参照）。サンプリングトランジスタ７１Ｇのドレイン配線７１Ｇｄは、サンプリングトランジスタ７１Ｇを構成する半導体層におけるドレイン領域にコンタクトホール１８３ｇを介して電気的に接続されている。ドレイン配線７１ｄは、そのサンプリングトランジスタ７１Ｇに接続される側と反対の他端側において、対応するデータ線６Ｇとコンタクトホール１８１ｇを介して互いに電気的に接続されている。
【００５７】
サンプリングトランジスタ７１Ｒに接続される引き出し配線７２Ｒ（言い換えれば、サンプリングトランジスタ７１Ｒのソース配線）は、サンプリングトランジスタ７１Ｒを構成する半導体層におけるソース領域にコンタクトホール１８２ｒを介して電気的に接続されている。引き出し配線７２Ｒは、サンプリングトランジスタ７１Ｒに接続される側と反対の他端側において、対応する画像信号線５００と例えばコンタクトホールを介して互いに電気的に接続されている（図３参照）。サンプリングトランジスタ７１Ｒのドレイン配線７１Ｒｄは、サンプリングトランジスタ７１Ｒを構成する半導体層におけるドレイン領域にコンタクトホール１８３ｒを介して電気的に接続されている。ドレイン配線７１ｒは、サンプリングトランジスタ７１Ｒに接続される側と反対の他端側において、対応するデータ線６Ｒとコンタクトホール１８１ｒを介して互いに電気的に接続されている。
【００５８】
サンプリングトランジスタ７１Ｂに接続される引き出し配線７２Ｂ（言い換えれば、サンプリングトランジスタ７１Ｂのソース配線）は、サンプリングトランジスタ７１Ｂを構成する半導体層におけるソース領域にコンタクトホール１８２ｂを介して電気的に接続されている。引き出し配線７２Ｂは、サンプリングトランジスタ７１Ｂに接続される側と反対の他端側において、対応する画像信号線５００と例えばコンタクトホールを介して互いに電気的に接続されている（図３参照）。サンプリングトランジスタ７１Ｂのドレイン配線７１Ｂｄは、サンプリングトランジスタ７１Ｂを構成する半導体層におけるドレイン領域にコンタクトホール１８３ｂを介して電気的に接続されている。ドレイン配線７１ｂは、サンプリングトランジスタ７１Ｂに接続される側と反対の他端側において、対応するデータ線６Ｂとコンタクトホール１８１ｂを介して互いに電気的に接続されている。
【００５９】
図５において、サンプリング信号線７５は、同一の単位画素８０を構成するサブ画素７０Ｇ、７０Ｒ及び７０Ｂに対応するサンプリングトランジスタ７１Ｇ、７１Ｒ及び７１Ｂの各々のゲート電極を含むように形成されている。サンプリング信号線７５は、該ゲート電極を含む側と反対の他端側においてデータ線駆動回路１０１に電気的に接続されている（図３参照）。液晶装置１００の動作時には、サンプリング信号線７５にはデータ線駆動回路１０１から所定のタイミングでサンプリング信号Ｓｉが供給される。
【００６０】
図４及び図５において、本実施形態では特に、緑色に対応するサンプリング回路７Ｇは、他のサンプリング回路７Ｒ及び７Ｂよりも画像信号線５００に近い側に配置されている。
【００６１】
よって、緑色に対応するサンプリングトランジスタ７１Ｇに接続される引き出し配線７２Ｇを、他のサンプリングトランジスタ７１Ｒ及び７１Ｂの各々に接続される引き出し配線７２Ｒ及び７２Ｂよりも短くすることができる。従って、サンプリングトランジスタ７１Ｇ、７１Ｒ及び７１Ｂの各々に接続される引き出し配線７２Ｇ、７２Ｒ及び７２Ｂのうち、サンプリングトランジスタ７１Ｇの引き出し配線７２Ｇを、配線容量による信号波形のなまりや他の配線との容量カップリングに起因する電位変動が最も生じ難いものとすることができる。
【００６２】
これにより、赤色、青色及び緑色のうち人間の視感度が最も高い（即ち、人間の目が最も感知しやすい）緑色に対応するサンプリング回路７Ｇに電気的に接続された引き出し配線７２Ｇにおける信号波形のなまりや電位変動を抑制することができる。ここで、赤色及び青色の各々に対応するサンプリング回路７Ｒ及び７Ｂに電気的に接続された引き出し配線７２Ｒ及び７２Ｂにおける電位変動が生じたとしても、赤色及び青色は緑色に比べて人間の視感度が低いので、表示への悪影響は殆ど或いは実践上全くない。この結果、高品質なカラー画像を表示することが可能となる。
【００６３】
更に本実施形態では特に、青色に対応するサンプリング回路７Ｂは、赤色に対応するサンプリング回路７Ｒよりも画像信号線５００から遠い側に配置されている。
【００６４】
よって、赤色に対応するサンプリング回路７Ｒに電気的に接続された引き出し配線７２Ｒにおける電位変動を、青色に対応するサンプリング回路７Ｂに電気的に接続された引き出し配線７２Ｂにおける電位変動よりも低減できる。ここで、青色は赤色に比べて人間の視感度が低いので、仮に複数のサンプリングトランジスタ７１Ｒが、複数のトランジスタ７１Ｂよりも画像信号線５００から遠い側に配置された場合と比較して、引き出し配線７２に生じ得る電位変動による表示への悪影響を視認され難くすることができる。
【００６５】
図６において、本実施形態に係る液晶装置の画像信号線５００は、図４に示したようにデータ線駆動回路１０１を迂回するように設けられなくともよい。即ち、ＴＦＴアレイ基板１０の側方の辺に沿って設けられた外部回路接続端子１０２と直線的に結ばれるようなものであってもよい。
【００６６】
この場合には、画像信号線５００の長さを短くできるため、配線全体で見た場合の引き出し配線７２における容量カップリングの割合が大きくなる。従って、上述した本実施形態に係る効果は、より顕著に発揮されることとなる。
【００６７】
以上説明したように、本実施形態に係る液晶装置によれば、引き出し配線７２に生じ得る配線容量による信号波形のなまりや他の配線の影響による電位変動に起因する表示への悪影響が視認され難く、高品質な画像を表示可能である。
【００６８】
尚、本実施形態においては、画像信号線についてサンプリング回路７に近いほうから赤色、緑色、青色の順に配置されている例で説明したが、緑色に対応する画像信号線を最もサンプリング回路７に近い位置に配置してもよく、それによりさらに引き出し配線７２Ｇの長さを短くすることができるのでより効果的である。例えば画像信号線をサンプリング回路７に近いほうから緑色、赤色、青色のように配置にすることで人間の視感度を考慮した効果的な配置とすることができる。
＜電子機器＞
次に、上述した電気光学装置である液晶装置を各種の電子機器に適用する場合について説明する。
【００６９】
先ず、この液晶装置をライトバルブとして用いたプロジェクターについて、図６を参照して説明する。ここに図６は、プロジェクターの構成例を示す平面図である。
【００７０】
図６に示すように、プロジェクター１１００内部には、ハロゲンランプ等の白色光源からなるランプユニット１１０２が設けられている。このランプユニット１１０２から射出された投射光は、ライトガイド１１０４内に配置された３枚のミラー１１０６によって液晶パネル１１１０に入射される。
【００７１】
液晶パネル１１１０の構成は、上述した液晶装置と同等であり、画像信号処理回路から供給されるＲＧＢの画像信号で駆動されるものである。そして、この液晶パネル１１１０によって光が変調されることにより表示されるカラー画像が、投射レンズ１１１４を介して、スクリーン等に投写されることとなる。
【００７２】
次に、上述した液晶装置を、携帯電話に適用した例について、図７を参照して説明する。ここに図７は、携帯電話の構成を示す斜視図である。
【００７３】
図７において、携帯電話１３００は、複数の操作ボタン１３０２とともに、上述した液晶装置を適用した表示部１００５を備えるものである。
【００７４】
尚、図６及び図７を参照して説明した電子機器の他にも、モバイル型のパーソナルコンピューターや、液晶テレビ、ビューファインダー型、モニタ直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００７５】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７６】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【符号の説明】
【００７７】
６…データ線、７…サンプリング回路、１０…ＴＦＴアレイ基板、１０ａ…画像表示領域、１１…走査線、２０…対向基板、３０…ＴＦＴ、５０…液晶層、７０…サブ画素、７１…サンプリングトランジスタ、７２…引き出し配線、１０１…データ線駆動回路、１０２…外部回路接続端子、１０４…走査線駆動回路、５００…画像信号線。
【図１】
2014170243.tif 000003
【図２】
2014170243.tif 000004
【図３】
2014170243.tif 000005
【図４】
2014170243.tif 000006
【図５】
2014170243.tif 000007
【図６】
2014170243.tif 000008
【図７】
2014170243.tif 000009
【図８】
2014170243.tif 000010
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
第１の色に対応する第１の画素と、
第２の色に対応する第２の画素と、
前記第１の色および前記第２の色よりも視感度の高い第３の色に対応する第３の画素と、
前記第１の画素に対応して配置される第１のデータ線と、
前記第２の画素に対応して配置される第２のデータ線と、
前記第３の画素に対応して配置される第３のデータ線と、
前記第１の画素、前記第２の画素、前記第３の画素が配置される画像表示領域の外側において、
供給される第１の色に対応する画像信号を所定のタイミングで第１のドレイン線を介して前記第１のデータ線に供給する第１のサンプリングスイッチと、
供給される第２の色に対応する画像信号を所定のタイミングで第２のドレイン線を介して前記第２のデータ線に供給する第２のサンプリングスイッチと、
供給される第３の色に対応する画像信号を所定のタイミングで第３のドレイン線を介して前記第３のデータ線に供給する第３のサンプリングスイッチを備え、
前記第３のドレイン線の長さは、前記第１のドレイン線の長さおよび前記第２のドレイン線の長さより長い
ことを特徴とする電気光学装置。
【請求項２】
第１の色に対応する第１の画素と、
第２の色に対応する第２の画素と、
前記第１の色および前記第２の色よりも視感度の高い第３の色に対応する第３の画素と、
前記第１の画素に対応して配置される第１のデータ線と、
前記第２の画素に対応して配置される第２のデータ線と、
前記第３の画素に対応して配置される第３のデータ線と、
前記第１の画素、前記第２の画素、前記第３の画素が配置される画像表示領域の外側において、
供給される第１の色に対応する画像信号を所定のタイミングで第１のドレイン線を介して前記第１のデータ線に供給する第１のサンプリングスイッチと、
供給される第２の色に対応する画像信号を所定のタイミングで第２のドレイン線を介して前記第２のデータ線に供給する第２のサンプリングスイッチと、
供給される第３の色に対応する画像信号を所定のタイミングで第３のドレイン線を介して前記第３のデータ線に供給する第３のサンプリングスイッチを備え、
前記第１のドレイン線の長さおよび前記第２のドレイン線の長さは、前記第３のドレイン線の長さより短い
ことを特徴とする電気光学装置。
【請求項３】
前記第１のドレイン線は、一方が前記第１のデータ線と第１のコンタクトホールを介して接続され、他方が、前記第１のサンプリングスイッチのドレイン端子に接続され、
前記第２のドレイン線は、一方が前記第２のデータ線と第２のコンタクトホールを介して接続され、他方が、前記第２のサンプリングスイッチのドレイン端子に接続され、
前記第３のドレイン線は、一方が前記第３データ線と第３のコンタクトホールを介して接続され、他方が、前記第３のサンプリングスイッチのドレイン端子に接続されている
ことを特徴とする請求項１又は２に記載の電気光学装置。
【請求項４】
前記第１の色は、前記第２の色よりも視感度が低く、
前記第１のドレイン線の長さは、前記第２のドレイン線の長さより短いことを特徴とする請求項１又は２に記載の電気光学装置。
【請求項５】
前記第１の色は青色であり、前記第２の色は赤色であり、前記第３の色は緑色であることを特徴とする請求項１又は２に記載の電気光学装置。
【請求項６】
第１の色に対応する第１の画素と、
第２の色に対応する第２の画素と、
前記第１の色および前記第２の色よりも視感度の高い第３の色に対応する第３の画素と、
前記第１の画素、前記第２の画素および前記第３の画素が配置される画像表示領域と、
前記画像表示領域の内側に配置され、前記第１の画素に対応する第１のデータ線と、
前記画像表示領域の内側に配置され、前記第２の画素に対応する第２のデータ線と、
前記画像表示領域の内側に配置され、前記第３の画素に対応する第３のデータ線と、
前記画像表示領域の外側に配置され、一方がコンタクトホールを介して前記第１のデータ線に接続され、他方が第１のサンプリングスイッチに接続された第１のドレイン線と、
前記画像表示領域の外側に配置され、一方がコンタクトホールを介して前記第２のデータ線に接続され、他方が第２のサンプリングスイッチに接続された第２のドレイン線と、
前記画像表示領域の外側に配置され、一方がコンタクトホールを介して前記第３のデータ線に接続され、他方が第３のサンプリングスイッチに接続された第３のドレイン線と、
を備え、
前記第３のサンプリングスイッチは、第１のサンプリングスイッチおよび前記第２のサンプリングスイッチより前記画像表示領域から離れた位置に配置されている
ことを特徴とする電気光学装置。
【請求項７】
第１の色に対応する第１の画素と、
第２の色に対応する第２の画素と、
前記第１の色および前記第２の色よりも視感度の高い第３の色に対応する第３の画素と、
前記第１の画素、前記第２の画素および前記第３の画素が配置される画像表示領域と、
前記画像表示領域の内側に配置され、前記第１の画素に対応する第１のデータ線と、
前記画像表示領域の内側に配置され、前記第２の画素に対応する第２のデータ線と、
前記画像表示領域の内側に配置され、前記第３の画素に対応する第３のデータ線と、
前記画像表示領域の外側に配置され、一方がコンタクトホールを介して前記第１のデータ線に接続され、他方が第１のサンプリングスイッチに接続された第１のドレイン線と、
前記画像表示領域の外側に配置され、一方がコンタクトホールを介して前記第２のデータ線に接続され、他方が第２のサンプリングスイッチに接続された第２のドレイン線と、
前記画像表示領域の外側に配置され、一方がコンタクトホールを介して前記第３のデータ線に接続され、他方が第３のサンプリングスイッチに接続された第３のドレイン線と、
を備え、
第１のサンプリングスイッチおよび前記第２のサンプリングスイッチは、前記第３のサンプリングスイッチより前記画像表示領域の近くに配置されている
ことを特徴とする電気光学装置。
【請求項８】
請求項１から７のいずれか一項に記載の電気光学装置を備えることを特徴とする電子機器。